(57)【要約】【課題】断面形状が、対向する２本のフランジ６ａ，６ｂと該両フランジ６ａ，６ｂの中間部を連結するウエブ６ｃとを備えたＨ形をなす支柱６間に、壁パネル１Ａが、当該壁パネル１Ａの両側縁部がそれぞれ前記支柱６のフランジ６ａ，６ｂ間に挟まれた状態で落とし込まれて取り付けられた内貼り構造の軽量盛土用側壁について、支柱６への壁パネル１Ａの取付強度を経時的に変化しにくくする。【解決手段】中間ナット部７ａの両端に２本の軸部７ｂ，７ｃの一端がそれぞれ螺合され、前記中間ナット部７ａを回すことで全体長さを伸縮可能な伸縮取付具７Ａを、前記支柱６の一方のフランジ６ａと前記壁パネル１Ａの側縁部との間で伸長させて、壁パネル１Ａの側縁部を他方のフランジ６ｂに押し付けることによって前記壁パネル１Ａを前記支柱６へ取り付ける。【選択図】図４
2010222806.tif 000002
【特許請求の範囲】
【請求項１】
合成樹脂発泡板を積み重ねた軽量盛土の側面に沿って立設され、断面形状が、対向する２本のフランジと該両フランジの中間部を連結するウエブとを備えたＨ形をなす支柱間に、壁パネルが、当該壁パネルの両側縁部がそれぞれ前記支柱のフランジ間に挟まれた状態で上下に複数枚落とし込まれて取り付けられた軽量盛土用側壁において、
中間ナット部の両端に２本の軸部の一端がそれぞれ螺合され、前記中間ナット部を回すことで全体長さを伸縮可能な伸縮取付具を、前記支柱の一方のフランジと前記壁パネルの側縁部との間で伸長させて、壁パネルの側縁部を他方のフランジに押し付けることによって前記壁パネルが前記支柱へ取り付けられていることを特徴とする軽量盛土用側壁。
【請求項２】
前記伸縮取付具の一方の軸部の他端が、前記壁パネルの側縁部に設けられた取付用雌ねじ部に螺合されていることを特徴とする請求項１に記載の軽量盛土用側壁。
【請求項３】
前記伸縮取付具の前記一方の軸部の中間部にボルト頭部が形成されており、該ボルト頭部が、前記一方の軸部の他端と、前記壁パネルの取付用雌ねじ部との螺号により、前記壁パネルの表面に圧接されていることを特徴とする請求項２に記載の軽量盛土用側壁。
【請求項４】
前記伸縮取付具の前記一方の軸部の他端を前記記壁パネルの取付用雌ねじ部へねじ込むための前記一方の軸部の回転方向と、前記伸縮取付具の全体長さを伸長させるための前記中間ナット部の回転方向とが同方向であることを特徴とする請求項３に記載の軽量盛土用側壁。
【請求項５】
前記支柱のフランジで挟まれた前記壁パネルの両側縁部より前記壁パネルの中央寄りに、連結用雌ねじ部が設けられており、上下に相隣接する前記壁パネルの前記連結用雌ねじ部に、当該上下に相隣接する壁パネルに跨る連結材がボルト止めされていることを特徴とする請求項１〜４のいずれか１項に記載の軽量盛土用側壁。
【請求項６】
前記連結用雌ねじ部が、前記壁パネルの側縁部を前記支柱のフランジの外面に宛って取り付ける際に、前記壁パネルの側縁部が宛われた前記フランジの内面と前記壁パネルとの間に跨がって取り付けられる取付片のボルト止め用を兼ねる位置に形成されていることを特徴とする請求項５に記載の軽量盛土用側壁。
【請求項７】
合成樹脂発泡板を積み重ねた軽量盛土の側面に沿って立設され、断面形状が、対向する２本のフランジと該両フランジの中間部を連結するウエブとを備えたＨ形をなす支柱間に、両側縁部がそれぞれ前記支柱のフランジ間に挟まれた状態で上下に複数枚落とし込まれて取り付けられて軽量盛土用側壁を構成する壁パネルにおいて、
平面長方形状をなし、前記支柱のフランジ間に挟まれる短辺側の両側縁部に、中間ナットの両端に２本の軸部の一端がそれぞれ螺合され、前記中間ナット部を回すことで全体長さを伸縮可能な伸縮取付具の一方の軸部の他端を螺合させるための取付用雌ねじ部が設けられていると共に、前記両側縁部より中央寄りに、上下に相隣接する前記壁パネルに跨る連結材のボルト止め用の連結用雌ねじ部が設けられていることを特徴とする壁パネル。
【請求項８】
背面側に、四周を囲む外周リブと、短辺方向及び長辺方向の中央部を通る十字形リブとを有するレジンコンクリート成形品であり、前記取付用雌ねじ部と連結用雌ねじ部が外周リブの四隅部分にそれぞれ設けられていることを特徴とする請求項７に記載の壁パネル。
【請求項９】
前記連結用雌ねじ部が、外周リブの四隅部分にそれぞれ複数設けられていることを特徴とする請求項７又は８に記載の壁パネル。
【請求項１０】
前記連結用雌ねじ部が、前記短辺側の側縁部を前記支柱のフランジの外面に宛って取り付ける際に、前記短辺側の側縁部が宛われた前記フランジの内面と前記壁パネルとの間に跨がって取り付けられる取付片のボルト止め用を兼ねる位置に設けられていることを特徴とする請求項７〜９のいずれか１項に記載の壁パネル。
【発明の詳細な説明】
【技術分野】
【０００１】
本発明は、合成樹脂発泡板を積み重ねた軽量盛土の側面に沿って、土留めや合成樹脂発泡板の保護などのために形成される軽量盛土用側壁及びそれに用いる壁パネルに関する。
【背景技術】
【０００２】
従来、合成樹脂発泡板を積み重ねた軽量盛土の側面に設けられる軽量盛土用側壁（以下「側壁」という）としては、特許文献１及び２に示されるように、支柱を軽量盛土の側面に沿って間隔を開けて複数立設し、この支柱にコンクリート板などの壁パネルを取り付けて構成したものが知られている。壁パネルの支柱への取付構造としては、特許文献１の図２に示されるように、断面Ｈ形の支柱を用い、壁パネルをこの支柱のフランジ（Ｈ形における２本の縦片部分）間に落とし込んで取り付ける構造（内貼り構造）と、特許文献２に示されるように、壁パネルを、断面Ｈ形をなす支柱のフランジ部外面に宛って取り付ける構造（外貼り構造）とが知られている。なお、特許文献２における支柱は、２本のＣ形鋼を背中合わせにしたものとなっているが、全体としては断面Ｈ形となっている。
【先行技術文献】
【特許文献】
【０００３】
【特許文献１】特開２００５−８３０９６号公報
【特許文献２】特開２００６−２４１８９６号公報
【発明の概要】
【発明が解決しようとする課題】
【０００４】
ところで、内貼り構造の側壁の場合、壁パネルの厚さが支柱内に納められるので、外貼り構造のように、側壁が壁パネルの厚さ分だけ外側に出っ張ることがなく、施行面積上有利である。
【０００５】
一方、内貼り構造の側壁の場合、支柱への壁パネルの取り付けは、壁パネルの側縁部と支柱の一方のフランジとの間に合成樹脂発泡板の切断片を押し込み、壁パネルの側縁部を他方のフランジへ押し付けることで行われるのが通常である。
【０００６】
しかしながら、上記壁パネルの取付構造では、壁パネルの側縁部と支柱の一方のフランジとの間に押し込んだ合成樹脂発泡板の切断片が経時的に劣化して弾性を失ってくると、壁パネルにガタツキを生じやすい問題がある。また、外貼り構造の側壁における支柱への壁パネルの取り付けは、壁パネルと、壁パネルの側縁部が宛われたフランジの内面との間に跨がる取付片を壁パネルへボルト止めすることで行われることが多い。内貼り構造の側壁に用いられる壁パネルは、上記の取付構造が多用されることから、単なる長方形の板材であることが多く、取付片をボルト止めするための雌ねじ部を有していないので、これを外貼り構造の側壁へ転用することができず、融通性に欠ける問題もある。
【０００７】
本発明は、上記従来の問題点に鑑みてなされたもので、施行面積上有利な内貼り構造で、しかも支柱への壁パネルの取付強度が経時的に変化しにくい強固な側壁と、該側壁に用いる壁パネルとをを提供することを第１の目的とする。また、本発明は、この側壁を、内貼り構造と外貼り構造のいずれにも使用できる壁パネルを用いて構成できるようにすることと、該側壁に用いる融通性の高い壁パネルとを提供することを第２の目的とする。
【課題を解決するための手段】
【０００８】
本発明の第１は、上記第１の目的のために、合成樹脂発泡板を積み重ねた軽量盛土の側面に沿って立設され、断面形状が、対向する２本のフランジと該両フランジの中間部を連結するウエブとを備えたＨ形をなす支柱間に、壁パネルが、当該壁パネルの両側縁部がそれぞれ前記支柱のフランジ間に挟まれた状態で上下に複数枚落とし込まれて取り付けられた側壁において、
中間ナット部の両端に２本の軸部の一端がそれぞれ螺合され、前記中間ナット部を回すことで全体長さを伸縮可能な伸縮取付具を、前記支柱の一方のフランジと前記壁パネルの側縁部との間で伸長させて、壁パネルの側縁部を他方のフランジに押し付けることによって前記壁パネルが前記支柱へ取り付けられていることを特徴とする側壁を提供するものである。
【０００９】
上記本発明の第１は、前記伸縮取付具の一方の軸部の他端が、前記壁パネルの側縁部に設けられた取付用雌ねじ部に螺合されていること、
前記伸縮取付具の前記一方の軸部の中間部にボルト頭部が形成されており、該ボルト頭部が、前記一方の軸部の他端と、前記壁パネルの取付用雌ねじ部との螺号により、前記壁パネルの表面に圧接されていること、
前記伸縮取付具の前記一方の軸部の他端を前記記壁パネルの取付用雌ねじ部へねじ込むための前記一方の軸部の回転方向と、前記伸縮取付具の全体長さを伸長させるための前記中間ナット部の回転方向とが同方向であること、
前記支柱のフランジで挟まれた前記壁パネルの両側縁部より前記壁パネルの中央寄りに、連結用雌ねじ部が設けられており、上下に相隣接する前記壁パネルの前記連結用雌ねじ部に、当該上下に相隣接する壁パネルに跨る連結材がボルト止めされていること、
をその好ましい態様として含むものである。
【００１０】
また、本発明の第１は、前記第２の目的をも同時に達成するために、上記連結用雌ねじ部を有する態様において、前記連結用雌ねじ部が、前記壁パネルの側縁部を前記支柱のフランジの外面に宛って取り付ける際に、前記壁パネルの側縁部が宛われた前記フランジの内面と前記壁パネルとの間に跨がって取り付けられる取付片のボルト止め用を兼ねる位置に形成されている態様をも含むものである。
【００１１】
本発明の第２は、上記本発明の第１に係る側壁における上記連結用雌ねじ部を有する態様に用いる壁パネルを提供するもので、合成樹脂発泡板を積み重ねた軽量盛土の側面に沿って立設され、断面形状が、対向する２本のフランジと該両フランジの中間部を連結するウエブとを備えたＨ形をなす支柱間に、両側縁部がそれぞれ前記支柱のフランジ間に挟まれた状態で上下に複数枚落とし込まれて取り付けられて側壁を構成する壁パネルにおいて、
平面長方形状をなし、前記支柱のフランジ間に挟まれる短辺側の両側縁部に、中間ナットの両端に２本の軸部の一端がそれぞれ螺合され、前記中間ナット部を回すことで全体長さを伸縮可能な伸縮取付具の一方の軸部の他端を螺合させるための取付用雌ねじ部が設けられていると共に、前記両側縁部より中央寄りに、上下に相隣接する前記壁パネルに跨る連結材のボルト止め用の連結用雌ねじ部が設けられていることを特徴とする壁パネルを提供するものである。
【００１２】
上記本発明の第２は、背面側に、四周を囲む外周リブと、短辺方向及び長辺方向の中央部を通る十字形リブとを有するレジンコンクリート成形品であり、前記取付用雌ねじ部と連結用雌ねじ部が四隅の外周リブ部分にそれぞれ設けられていること、
前記連結用雌ねじ部が、外周リブの四隅部分にそれぞれ複数設けられていること、
をその好ましい態様として含むものである。
【００１３】
更に本発明の第２は、前記第２の目的をも同時に達成するために、前記連結用雌ねじ部が、前記短辺側の側縁部を前記支柱のフランジの外面に宛って取り付ける際に、前記短辺側の側縁部が宛われた前記フランジの内面と前記壁パネルとの間に跨がって取り付けられる取付片のボルト止め用を兼ねる位置に設けられていることを好ましい態様として含むものでもある。
【発明の効果】
【００１４】
本発明の側壁は、施行面積上有利な内貼り構造の側壁において、ねじ機構を利用した伸縮取付具で壁パネルを強固に支柱へ押さえ付けて取り付けることができる。したがって、長期に亘って安定した取り付け状態を維持することができる。特に伸縮取付具を構成する一方の軸部を壁パネルに設けた取付用雌ねじ部にねじ込んでおくと、壁パネルの取り付け状態が一層安定する。また、壁パネルに連結用雌ねじ部を設けておき、この連結用雌ねじ部に連結材をボルト止めして上下の壁パネルを連結すると、側壁全体の強度が向上する。そして、この連結用雌ねじ部を、外貼り構造の側壁における壁パネルの取り付けに用いる取付片のボルト止め位置に設けておくと、内貼り構造である本発明の側壁を構成する壁パネルを、特に加工を施すことなくそのまま外貼り構造の側壁形成に転用することができ、高い融通性が得られる。
【００１５】
本発明の壁パネルは、上記取付用雌ねじ部と連結用雌ねじ部を備えたもので、上記伸縮取付具を用いて支柱に取り付けると共に、上記連結材で上下に連結することで、内貼り構造とするに際し、強固で安定した取り付け状態を得ることができる。また、外周リブと十字形リブとを有するレジンコンクリート成形品とし、取付用雌ねじ部と連結用雌ねじ部を外周リブの四隅に設けると、軽量で破損しにくい壁パネルとすることができる。そして、上記連結用雌ねじ部を、外貼り構造とするに際して壁パネルの取り付けに用いる取付片のボルト止め位置に設けておくと、本発明の壁パネルを、特に加工を施すことなくそのまま外貼り構造の側壁形成に転用することができ、高い融通性が得られる。
【図面の簡単な説明】
【００１６】
【図１】本発明に係る側壁に用いる壁パネルの一例を示す前面側斜視図である。
【図２】本発明に係る側壁に用いる壁パネルの一例を示す背面側斜視図である。
【図３】図１及び図２に示される壁パネルを用いた本発明に係る側壁の一例を示す斜視図である。
【図４】（ａ）は伸縮取付具の一例を示す拡大説明図、（ｂ）はこの伸縮取付具による壁パネルの支柱への取り付け部分の拡大図である。
【図５】（ａ）は伸縮取付具の他の例を示す拡大説明図、（ｂ）はこの伸縮取付具による壁パネルの支柱への取り付け部分の拡大図である。
【図６】本発明に係る壁パネルの第１の例の背面側斜視図である。
【図７】本発明に係る壁パネルの第１の例を用いた本発明に係る側壁の一例を示す斜視図である。
【図８】本発明に係る壁パネルの第１の例を用いた外貼り構造の側壁の一例を示す斜視図である。
【図９】本発明に係る壁パネルの第２の例の背面側斜視図である。
【発明を実施するための形態】
【００１７】
以下、図面に基づいて本発明を更に詳細に説明する。なお、以下に説明する図面において、同じ符号は同様の構成要素を示す。
【００１８】
図１〜図５を用いて、本発明に係る側壁の一例と、それに用いる壁パネルの一例を説明する。
【００１９】
図１及び図２に示されるように、本例の壁パネル１Ａは、平面長方形の板材で、背面側の四隅に取付用雌ねじ部２が開口している。本例の壁パネル１Ａは、例えばレジンコンクリートやセメントコンクリートで構成されたもので、取付用雌ねじ部２は、レジンコンクリートやセメントコンクリートによる壁パネル１Ａの成形時に、内面に雌ねじが切られたパイプ状の部材を成形型枠内にセットしておくことで、壁パネル１Ａに一体に設けられたものとなっている。
【００２０】
壁パネル１Ａは、上記のように、セメントコンクリート製とすることもできるが、強度、特に割れ難さの点から、レジンコンクリート製とすることが好ましい。レジンコンクリート製とする場合、図２に示されるように、背面側に、四周を囲む外周リブ３と、短辺方向及び長辺方向の中央部を通る十字形リブ４とを設けることが好ましい。このようにすると、外周リブ３と十字形リブ４部分以外の箇所の肉厚を薄くしても必要な強度を維持することができ、全体の軽量化と材料コストの低減を図ることができる。また、取付用雌ねじ２部は、外周リブ３の四隅部分にそれぞれ設けられている。この取付用雌ねじ部２周りの強度を向上させておくために、外周リブ３の四隅部分は他の箇所より幅広としておくことが好ましい。
【００２１】
図１及び図２に示される壁パネル１Ａにより、図３に示される内貼り構造の側壁５Ａを構成することができる。
【００２２】
図３において６は支柱で、合成樹脂発泡板を積み重ねた軽量盛土（図示されていない）の側面に沿って所定間隔で複数立設されている。支柱６は、断面形状が、対向する２本のフランジ６ａ，６ｂと該両フランジ６ａ，６ｂの中間部を連結するウエブ６ｃとを備えたＨ形をなしている。この支柱６としては、例えばＨ形鋼を用いることができる。また、Ｃ形鋼を背中合わせにした柱状体とすることもできる。
【００２３】
軽量盛土は、図３中手前側（壁パネル１Ａの背面側）に構築されているもので、支柱６はその両フランジ６ａ，６ｂの対向方向を軽量盛土側に向けて配置されている。つまり、支柱６のフランジ６ａ側が軽量盛土側となっている。また、壁パネル１Ａは、横長にした状態で、その両側縁部がそれぞれ相隣接する支柱６のフランジ６ａ，６ｂ間に挟まれた状態で上下に複数枚落とし込まれ、伸縮取付具７Ａ又は７Ｂを用いて支柱６に取り付けられている。
【００２４】
図４（ａ）に拡大して示すように、伸縮取付具７Ａは、中間ナット部７ａと、２本の軸部７ｂ，７ｃを備えたものとなっている。中間ナット部７ａの両端には、それぞれ２本の軸部７ｂ，７ｃの一端が螺合されており、中間ナット部７ａを回すことで全体長さを伸縮可能となっている。
【００２５】
図４（ｂ）に示されるように、上記伸縮取付具７Ａは、その一方の軸部７ｂの他端（中間ナット７ａに螺合されている側とは反対側の端部）が前記壁パネル１Ａの取付用雌ねじ部２に螺合されて、支柱６の一方のフランジ６ａ（軽量盛土側のフランジ）と壁パネル１Ａの側縁部との間に設けられている。そして、この状態で中間ナット部７ａを回して全体長さを伸長させることで、壁パネル１Ａの側縁部を他方のフランジ６ｂ（軽量盛土とは反対側のフランジ）に押し付け、壁パネル１Ａを支柱６へ取り付け支持させている。
【００２６】
伸縮取付具７Ａによる壁パネル１Ａの取り付けは、壁パネル１Ａに雌ねじ部２を設けることなく、いわば伸縮取付具７を支柱６の一方のフランジ６ａと壁パネル１Ａの側縁部との間に挟み込んだだけの状態で行うこともできる。但し、上記のように壁パネル１Ａに取付用雌ねじ部２を設け、伸縮取付具７の一方の軸部７ｂの他端をこれに螺合させると、伸縮取付具７Ａ自体の取り付け状態が安定し、落下防止を図ることができるので好ましい。
【００２７】
図４（ａ），（ｂ）に示されるように、伸縮取付具７Ａの他方の軸部７ｃの他端（中間ナット７ａに螺合されている側とは反対側の端部）先端には、支柱６のフランジ６ａ内面との接触径を大きくして滑りにくくするための受圧部７ｄを設けておくことが好ましい。図示される受圧部７ｄはボルトの頭部状の形状となっているが、例えば皿状、お椀状等の形状とすることもできる。また、前記のように、壁パネル１Ａに雌ねじ部２を設けることなく、伸縮取付具７Ａを支柱６の一方のフランジ６ａと壁パネル１Ａの側縁部との間に挟み込んだだけの状態で壁パネル１Ａを取り付ける場合、一方の軸部７ｂの他端先端にも上記と同様の受圧部（図示されていない）を設けておくことが好ましい。
【００２８】
図５（ａ），（ｂ）に示される伸縮取付具７Ｂは、一方の軸部７ｂの中間部に、取付用雌ねじ部２との螺合を締め付けやすくするためのボルト頭部７ｅを有する点以外は図４（ａ），（ｂ）で説明した伸縮取付具７Ａと同様である。この伸縮取付具７Ｂを用い、一方の軸部７ｂを、ボルト頭部７ｅが壁パネル１Ａの表面に圧接されるまで取付用雌ねじ部２にねじ込むと、伸縮取付具７Ｂ自体の取り付け状態をより安定させることができる。特に、一方の軸部７ｂを取付用雌ねじ部２にねじ込むときの当該軸部７ｂの回転方向と、伸縮取付具７Ｂの全体長さを伸長させるときの中間ナット部７ａの回転方向が同方向であることが好ましい。このように構成しておくと、中間ナット７ａを回して伸縮取付具７Ｂの全体長さを伸長させるときに、一方の軸部７ｂと取付用雌ねじ部２の螺合が緩んでしまうことを防止することができる。
【００２９】
次に、図６〜図８を用いて、本発明に係る壁パネルの第１の例と、それを用いた側壁の一例を説明する。
【００３０】
図６に示されるように、本例の壁パネル１Ｂは、外周リブ３の四隅部分に、取付用雌ねじ部２の他に、壁パネル１Ｂの背面に開孔する連結用雌ねじ部８が設けられている点以外は図１及び図２で説明した壁パネル１Ａと同様である。また、壁パネル１Ｂの表面側の形態は図１の壁パネル１Ａと同様である。
【００３１】
上記雌ねじ部８について説明すると、連結用雌ねじ部８は、支柱６（図７参照）のフランジ６ａ，６ｂ（図７参照）で挟まれる壁パネル１Ｂの両側縁部より壁パネル１Ｂの中央寄りに設けられている。つまり、連結用雌ねじ部８は、壁パネル１Ｂを隣接する支柱６間に落とし込んだときに、支柱６のフランジ６ａ，６ｂで覆われずに壁パネル１Ｂの背面側に露出する位置に設けられている。この連結用雌ねじ部８は、前述した取付用雌ねじ部２と同様に、外周リブ３の四隅部分にそれぞれ設けられている。外周リブ３の四隅部分は、連結用雌ねじ部８が設けられている領域を含めて、他の箇所より幅広としておくことが好ましい。また、連結用雌ねじ部８は、取付用雌ねじ部２と同様にして、壁パネル１Ｂに一体に設けられているものである。
【００３２】
図６に示される壁パネル１Ｂにより、図７に示される内貼り構造の側壁５Ｂを構成することができる。図７に示される側壁５Ｂは、上下に相隣接する壁パネル１Ｂの連結用雌ねじ部８に、当該上下に相隣接する壁パネル１Ｂに跨る連結材９がボルト止めされている点以外は図３で説明した側壁５Ａと同様である。図７において、１０が連結材９を貫通して連結用雌ねじ部８にねじ込まれた固定ボルトである。
【００３３】
本例の側壁５Ｂの場合、上下に相隣接する壁パネル１Ｂが連結材９で連結されているので、壁パネル１Ｂ全体の取り付け状態をより安定させることができる。また、相隣接する支柱６間に落とし込まれて上下に重ねられた側壁５Ｂの内の一部だけを、図４及び図５に明示される伸縮取付具７Ａ又は７Ｂで支柱６へ取り付け、総ての壁パネル１Ｂを支柱６へ取り付ける手間を省略することも可能である。例えば、最下段と最上段の壁パネル１Ｂのみ又は最下段と最上段と中間部の一部の壁パネル１Ｂのみを伸縮取付具７Ａ又は７Ｂで支柱６へ取り付け、その他の壁パネル１Ｂの支柱６への取付を省略することもできる。連結材９としては、例えば断面Ｌ字形やコ字形の棒材を用いることができる。
【００３４】
連結用雄ねじ部８は、壁パネル１Ｂを図８に示されるような外貼り構造の側壁５０にも使用できるようにするため、外貼り構造の側壁５０において支柱６への壁パネル１Ｂの取付に使用される取付片１１をボルト止めできる位置に形成されていることが好ましい。
【００３５】
外張り構造の側壁５０の場合、壁パネル１Ｂは、その側縁部を支柱６の他方のフランジ６ｂ（軽量盛土とは反対側のフランジ）の外面に宛って取り付けられる。取付片１１は、壁パネル１Ｂの側縁部が宛われたフランジ６ｂの内面と壁パネル１Ｂとの間に跨って取り付けられ、壁パネル１Ｂの側縁部との間にフランジ６ｂを挟み付けて、壁パネル１Ｂを支柱６に取り付け支持させるものとなっている。具体的には、取付片１１は、中間部にフランジ６ｂの厚さに対応する段差を有する短冊状の板片で、段差を挟んで一端が上記フランジ６ｂの内面に当接され、他端が壁パネル１Ｂにボルト止めされている。図８において、１２が取付片を貫通して連結用雌ねじ部８にねじ込まれた固定ボルトである。
【００３６】
更に、図９を用いて、本発明に係る壁パネルの第２の例を説明する。
【００３７】
本例に係る壁パネル１Ｃは、外周リブ３の四隅部分に、取付用雌ねじ部２の他に、壁パネル１Ｃの背面に開孔する２つの連結用雌ねじ部８，８’がそれぞれ設けられている点以外は図６で説明した壁パネル１Ｂと同様である。また、壁パネル１Ｃの表面側の形態は図１の壁パネル１Ａと同様である。
【００３８】
上記２つの連結用雌ねじ部８，８’と前述の取付用雌ねじ部２は、壁パネル１Ｃの長辺方向に直列に設けられている。２つの連結用雌ねじ部８，８’は、図８で説明した取付片１１のサイズ（長さ）が異なる場合に対応できる位置に設けられている。つまり、壁パネル１Ｃの側縁部寄りの連結用雌ねじ部８’は、短い取付片１１をボルト止めする場合に使用される位置に設けられており、壁パネル１Ｃの中央部寄りの連結用雌ねじ部８は、長い取付片１１をボルト止めする場合に使用される位置に設けられている。このような連結用雌ねじ部８，８’を設けておくと、異なるサイズの取付片１１に対応することができると共に、特に壁パネル１Ｃの側縁部寄りの連結用雌ねじ部８’を用いて取付片１１をボルト止めした場合、更に壁パネル１Ｃの中央部寄りに露出している連結用雌ねじ部８を用いて、図７で説明した連結材９をボルト止めし、上下の壁パネル１Ｃを連結することができる。なお、本例は２つの連結用雌ねじ部８，８’を設けたものとなっているが、３つ以上の連結用雌ねじ部８，８’，…を設けることもできる。
【００３９】
以上説明した壁パネル１Ａ，１Ｂ，１Ｃは、四隅部分に取付用雌ねじ部２が設けられたものとなっているが、取付用雌ねじ部２を、短辺側の外周リブ３の十字形リブ４との交差部分にも設けておくことができる。このようにすると、壁パネル１Ａ，１Ｂ，１Ｃの側縁部の上下だけでなく、その中間部分でも、前記伸縮取付具７Ａ，７Ｂを用いた支柱６への取り付けを行えるようにすることができる。
【符号の説明】
【００４０】
１Ａ，１Ｂ，１Ｃ：壁パネル、２：取付用雌ねじ部、３：外周リブ、４：十字形リブ、５Ａ，５Ｂ，５Ｃ：側壁（内貼り構造の軽量盛土用側壁）、６：支柱、６ａ，６ｂ：フランジ、６ｃ：ウエブ、７Ａ，７Ｂ：伸縮取付具、７ａ：中間ナット部、７ｂ，７ｃ：軸部、７ｄ：受圧部、７ｅ：ボルト頭部、８，８’：連結用雌ねじ部、９：連結材、１０：固定ボルト、１１：取付片、１２：固定ボルト、５０：側壁（外貼り構造の軽量盛土用側壁）
【図１】
2010222806.tif 000003
【図２】
2010222806.tif 000004
【図３】
2010222806.tif 000005
【図４】
2010222806.tif 000006
【図５】
2010222806.tif 000007
【図６】
2010222806.tif 000008
【図７】
2010222806.tif 000009
【図８】
2010222806.tif 000010
【図９】
2010222806.tif 000011